(57)【要約】【課題】互いに異なる放送方式の映像信号を他の放送方式に効率よく変換し、光ディスク等のデジタル信号記録媒体に記録する。【解決手段】ＨＤＤ６に記録された映像データはデコードされた後、放送方式変換部９により該映像データとは異なる他の放送方式の映像データに変換される。変換された映像データはフレームシンクロナイザ３によりデータ補完が行われ、圧縮された後にＤＶＤに記録される。【選択図】    図１
2004236194.tif 000002
【特許請求の範囲】
【請求項１】
映像データをエンコードするエンコード手段と、
前記エンコードされた映像データを記録媒体に記録する記録手段と、
前記記録媒体に記録した映像データをデコードするデコード手段と、
前記デコードされた映像データを、該映像データとは異なる他の放送方式の映像データに変換する放送方式変換手段と、
外部から入力される映像データと、前記他の放送方式の映像データのうち一方を選択し前記エンコード手段に入力させる選択手段と、
を具備し、
前記他の放送方式の映像データを前記エンコード手段でエンコードし、このエンコードされた他の放送方式の映像データを記録することを特徴とする映像データ記録装置。
【請求項２】
入力映像データに対してデータ補完を行い、該入力映像データと同一の放送方式の標準映像データを提供するデータ補完手段を具備することを特徴とする請求項１記載の映像データ記録装置。
【請求項３】
前記データ補完手段は、ＰＡＬ方式映像データについてデータ補完を行うＰＡＬ方式データ補完部と、ＮＴＳＣ方式映像データについてデータ補完を行うＮＴＳＣ方式データ補完部とを具備することを特徴とする請求項２記載の映像データ記録装置。
【請求項４】
前記データ補完手段は、入力画像データの放送方式を検出する検出手段を具備し、検出した放送方式に応じたデータ補完を行うことを特徴とする請求項２又は３記載の映像データ記録装置。
【請求項５】
前記検出手段は、入力画像データのシンクデータ間隔を検出することにより、前記入力画像データの放送方式を検出することを特徴とする請求項４記載の映像データ記録装置。
【請求項６】
前記放送方式変換手段はＰＡＬ／ＮＴＳＣ変換手段と、ＮＴＳＣ／ＰＡＬ変換手段とを具備することを特徴とする請求項１記載の映像データ記録装置。
【請求項７】
前記記録手段は、ハードディスクドライブ及びＤＶＤレコーダを具備することを特徴とする請求項１記載の映像データ記録装置。
【請求項８】
前記放送方式変換手段により第１の放送方式映像データが第２の放送方式映像データに変換されている場合、変換動作状態を示すＯＳＤ画像を前記第１の放送方式で生成する画像生成手段を具備することを特徴とする請求項１記載の映像データ記録装置。
【請求項９】
前記画像生成手段は、前記放送方式変換手段により提供される第２の放送方式映像データと前記ＯＳＤ画像を合成する合成手段を具備することを特徴とする請求項８記載の映像データ記録装置。
【請求項１０】
映像データをエンコード装置を用いてエンコードし、
前記エンコードされた映像データを記録媒体に記録し、
前記記録媒体に記録した映像データをデコードし、
前記デコードされた映像データを、該映像データとは異なる他の放送方式の映像データに変換し、
外部から入力される映像データと、前記他の放送方式の映像データのうち一方を選択し前記エンコード装置に入力させ、
前記エンコードされた他の放送方式の映像データを記録することを特徴とする映像データ記録方法。
【発明の詳細な説明】
【０００１】
【発明の属する技術分野】
この発明はデジタル映像データの記録再生方式に関し、特に放送方式を変換して記録する技術に関する。
【０００２】
【従来の技術】
ＴＶ放送方式として日本やアメリカ等の諸国ではＮＴＳＣ方式を採用し、その国のビデオ信号の一般的規格となっている。又、西欧諸国ではＰＡＬ方式を採用し、旧ソ連を中心とする旧共産圏ではＳＥＣＡＭと呼ばれる規格を採用している。
例えばＮＴＳＣは走査線数：５２５／Ｆ、フィールド周波数：６０／Ｓ、ＰＡＬは走査線数：６２５／Ｆ、フィールド周波数：５０／Ｓとなっており、互いに互換性を有していない。従って、ＰＡＬ方式で例えばＤＶＤに記録した映像をＮＴＳＣ方式を適用するＤＶＤプレーヤーで再生することはできず、勿論その逆も不可能である。
特開２００２−１２５１９３号公報にはＨＤ映像信号をＳＤ（ＮＴＳＣ）映像信号に変換する技術が開示されている。
【０００３】
【特許文献１】
特開２００２−１２５１９３号（第１０、１１頁）
【０００４】
【発明が解決しようとする課題】
従来では、映像信号を海外で採用されている異なる放送方式の映像信号に変換することはできない。又従来の装置は、互いに異なる放送方式の信号を入力して記録する機能は有していない。
【０００５】
この発明は、映像信号を海外で採用されている異なる放送方式の映像信号に効率よく変換し、光ディスク等のデジタル信号記録媒体に記録することを目的とする。
【０００６】
【課題を解決するための手段】
ＰＡＬ方式あるいはＮＴＳＣ方式等、入力映像信号の放送方式に応じて、フレームシンクロナイザにてデータ補正が行われ、補正された映像データは圧縮された後情報記録媒体に記録される。
【０００７】
本発明の一実施形態によれば、記録時には第１の放送方式で映像を記録し、別の地域に居住し第２の放送方式を受像するＴＶを使用している知人に渡す時には、映像データを第２の放送方式に変換して記録媒体に記録することができる。
【０００８】
又、本発明の一実施形態によれば、使用しているＴＶとは異なる放送方式で記録された映像信号を再生して他の記録媒体にダビングする場合、ＴＶとの同期が取れていない再生映像を、ＯＳＤ（オンスクリーン  ディスプレイ）を用いてＴＶに表示することにより、レコーダーとしての動作状態がユーザに提示される。又、ＯＳＤの一部に、縮小した再生映像を貼り付けることにより、同期が取れていない映像の一部がＴＶに表示される。
【０００９】
【発明の実施の形態】
図面を参照しながら本発明の実施の形態について詳細に説明する。以下の説明はこの発明の実施の形態であって、この発明の装置及び方法を限定するものではない。
【００１０】
図１は本発明の一実施形態に係るデジタル映像信号記録再生装置の構成を示すブロック図である。本実施形態では、入力映像データＶｉｎ及び本装置に接続されているＴＶモニターがＰＡＬ方式である場合を例に説明する。しかし本発明はこれに限らず、入力映像データＶｉｎ及び装置に接続されているＴＶモニターがＮＴＳＣ等の場合でも適用することができる。
【００１１】
ＭＰＵ１はユーザーから操作部１２を介して入力される指示に基づいて、各ブロックを制御する。ここで操作部１２はリモコンでもよい。セレクタ２はＭＰＵ１からの制御信号に応じて、入力端Ａ及びＢに提供されている映像データうち一方を選択して出力する。
【００１２】
フレームシンクロナイザ３はメモリＭ１を用いて非標準映像データのデータ補完を行い、補完した映像データを出力する。例えばフレームシンクロナイザ３は、入力される映像データの走査線数が少ないない場合、標準映像と同じ走査線数となるように、入力映像データを補完し、標準映像データを出力する。フレームシンクロナイザ３は、ＰＡＬ方式データ補完又はＮＴＳＣ方式データ補完の一方のデータ補完を、ＭＰＵ１の指示に基づいて行う。または、自走方式で行ってもよい。尚、フレームシンクロナイザ３は、入力画像データの放送方式を検出し、検出した放送方式に応じたデータ補完を行うようにしてもよい。その場合、入力映像データのシンクデータ間隔に基づいて、前記入力画像データの放送方式が検出される。
【００１３】
ＭＰＥＧエンコーダ４はメモリＭ２を用いて、映像データをＭＰＥＧ方式に従って圧縮する。Ｉ／Ｆ（インターフェース）ＬＳＩ５はＭＰＵ１からの指示に基づいて、映像データの入出力経路を設定する。この場合メモリＭ３はデータバッファとして用いられる。例えばＩ／Ｆ  ＬＳＩ５はＭＰＥＧエンコーダ４からの映像データをＨＤＤ（ハードディスクドライブ）６又はＤＶＤドライブ７のどちらか一方、または両方により記録されるように、入出力経路を設定する。
【００１４】
ＭＰＥＧデコーダ８はメモリＭ４を用いて、圧縮された映像データをＭＰＥＧ方式に基づいて伸長する。放送方式変換部９はＭＰＵ１からの指示に基づいて、ＰＡＬ方式映像データをＮＴＳＣ方式映像データに変換する処理、又はＮＴＳＣ方式映像データをＰＡＬ方式映像データに変換する処理をメモリＭ５を用いて行う。このように放送方式変換部９はＰＡＬからＮＴＳＣへの方式変換及びＮＴＳＣからＰＡＬへの方式変換を行うので、本記録再生装置は、基本的構成を変更せずにＰＡＬ圏及びＮＴＳＣ圏の両方の地域で使用することができる。尚、放送方式変換部９にはＰＡＬからＳＥＣＡＭ、ＳＥＣＡＭからＰＡＬへの変換等、様々の変換方式を適用できる。勿論、放送方式変換部９はＰＡＬからＮＴＳＣへの方式変換又はＮＴＳＣからＰＡＬへの方式変換を行うものであってもよい。
【００１５】
グラフィックＬＳＩ１０はＭＰＥＧデコーダー８から出力された映像（主映像）と、ＴＶモニタを含む本録画再生機セット固有の方式、ここではＰＡＬ方式オンスクリーンディスプレイ情報（ＯＳＤ）を、ＭＰＵ１の指示応じて合成して出力する。ビデオエンコーダ１０はデジタル映像信号をアナログ映像信号に変換する。
【００１６】
図２は本記録再生装置の制御動作を主として示すフローチャートである。以下、本記録再生装置の動作をこのフローチャートを参照して説明する。
【００１７】
先ず記録時の動作を説明する。
【００１８】
ＭＰＵ１はユーザーから操作部１２を介して動作モードが入力されると、該モードが記録であるか判断する（ＳＴ０１、ＳＴ０２）。動作モードが記録の場合（ステップ０２でＹＥＳの場合）、ＭＰＵ１はセレクタ２の入力を”Ｂ”、フレームシンクロナイザ３を”ＰＡＬ方式”に設定する（ＳＴ０３、ＳＴ０４）。又ＭＰＵ１はユーザーから操作部１２を介して入力される指示に基づいて、Ｉ／ＦＬＳＩ５のデータ経路を設定し、映像データを記録する。即ちＭＰＵ１はＩ／Ｆ  ＬＳＩ５のデータ経路をＭＰＥＧエンコーダ４からＨＤＤ６又はＤＶＤ７に設定する。ここでＭＰＵ１は、Ｉ／Ｆ  ＬＳＩ５のデータ経路を”ＭＰＥＧエンコーダ４からＨＤＤ６”に設定し、ＨＤＤ６を記録モードに設定したとする（ＳＴ０５、ＳＴ０６）。
【００１９】
この設定後、ＴＶチューナー又は外部入力等からのＰＡＬ方式デジタル映像データが、セレクタ２を介してフレームシンクロナイザ３に入力される。フレームシンクロナイザ３は、入力された非標準映像データに対してデータ補完を行い、補完された標準映像データをＭＰＥＧエンコーダー４に供給する。ここで映像データはＭＰＥＧ方式で圧縮され、Ｉ／Ｆ  ＬＳＩ５を介してＨＤＤ６に供給さて記録される。
【００２０】
次に、映像データを再生する場合を説明する。
【００２１】
ＭＰＵ１はユーザーから操作部１２を介して、ＨＤＤ６又はＤＶＤ７の再生が指示されると（ステップ０７でＹＥＳの場合）、ＨＤＤ６又はＤＶＤ７を”再生モード”に設定する（ＳＴ０８）。ここではＨＤＤ６の再生が指示されたとする。更にＭＵＰ１はＩ／Ｆ  ＬＳＩ５のデータ経路を”ＨＤＤからＭＰＥＧデコーダ”、放送方式変換部９を”変換無し”に設定する（ＳＴ０９、ＳＴ１０）。
【００２２】
この設定により、ＨＤＤ６に記録されているデータは、Ｉ／Ｆ  ＬＳＩ５を介してＭＰＥＧデコーダー８に供給される。通常、ＭＰＥＧデコーダー８は、入力してきた例えばＰＡＬ方式映像データをそのままデコードする。デコードされた映像データはグラフィックＬＳＩ１０、ビデオエンコーダ１１を介してＴＶモニタに供給され、映像が表示される。
【００２３】
次に映像データの放送方式を変換してダビングする場合を説明する。
【００２４】
ＭＰＵ１はユーザーから操作部１２を介して、例えばＨＤＤ６に記録された映像データの放送方式を変換してＤＶＤドライブ７へダビングする指示を入力すると（ＳＴ１１でＹＥＳの場合）、ＨＤＤ６を”再生モード”、Ｉ／Ｆ  ＬＳＩ５のデータ経路を”ＨＤＤ６からＭＰＥＧデコーダ８”、放送方式変換部をＰＡＬからＮＴＳＣ”、セレクタ２の入力を”Ａ”、フレームシンクロナイザ（ＦＳ）のデータ補完を”ＮＴＳＣ方式”、ＤＶＤドライブを”記録モード”に設定する（ＳＴ１２〜ＳＴ１７）。
【００２５】
この設定により、ＨＤＤ６に記録されているデータは、Ｉ／Ｆ  ＬＳＩ５を介してＭＰＥＧデコーダー８に出力される。通常、ＭＰＥＧデコーダー８は、入力してきた例えばＰＡＬ方式放送信号をそのままデコードし後段に出力する。デコードされた映像信号は放送方式変換部９に提供され、この例ではＰＡＬからＮＴＳＣ方式映像データに変換される。この変換された映像信号はセレクタ２に戻される。
【００２６】
ここでセレクタ２は放送方式変換部９からの映像信号を選択し、フレームシンクロナイザ３に送る。フレームシンクロナイザ３は、入力された映像データに対してＮＴＳＣ放送方式のフレームシンクロナイズ処理を行う。フレームシンクロナイズ処理された映像信号は、ＭＰＥＧエンコーダー４により圧縮され、Ｉ／ＦＬＳＩ５を介してＤＶＤ７により記録される。このときＭＰＵ１はＭＰＥＧエンコーダー４により圧縮された映像データをＤＶＤ−Ｖｉｄｅｏフォーマットに変換し、ＤＶＤドライブ７に装填されたＤＶＤ−Ｒ等の記録可能ＤＶＤに映像データを記録する。尚、放送方式変換を行わなずにダビングする場合、単にＭＰＵ１はＨＤＤ６に記録されていた映像データを読み出し、ＤＶＤ−Ｖｉｄｅｏフォーマットに変換してＤＶＤに記録する。
【００２７】
次に、デコードされた映像データをＴＶモニターで表示するときの動作を説明する。
【００２８】
上述したように、放送方式変換を行わずに記録した映像データを再生する場合、ＭＰＥＧデコーダー８から例えばＰＡＬの映像データが方式変換されずにグラフィックＬＳＩ１０に入力される。グラフィックＬＳＩ１０はＭＰＥＧデコーダー８から出力された映像（主映像）と、録画再生機セット固有のオンスクリーンディスプレイ情報（ＯＳＤ）を必要に応じて合成して出力する。そのデジタル映像データはＶｉｄｅｏエンコーダー１１によりデジタルからアナログに変換され、ＴＶモニター１２に送られる。ＴＶモニター１２は再生した主映像または主映像とＯＳＤの合成映像を表示する。
【００２９】
また、上述したように、放送方式変換部９により放送方式を変換し、変換した映像データをＤＶＤ等に記録している場合、ＭＰＥＧデコーダー８の出力がＴＶモニター固有の放送方式とは異なる。この場合、変換した映像データをグラフィックＬＳＩ９を介してＴＶモニターに供給すると、ＴＶモニターでは同期が取れない為、映像が回転し正常な映像が表示されない。その為グラフィックＬＳＩ１０にて、ＴＶモニター１１と同じ放送方式のＯＳＤを出力し、放送方式変換ダビングを行っている事が表示される。このとき、同期が取れていない主映像はマスクし、ＯＳＤにより、ダビング状態、進行状態等の状態がモニターに表示される。
【００３０】
更に、放送方式変換ダビング中に、放送方式変換された映像データを縮小し、縮小した映像とＯＳＤと合成してもよい。その場合、同期が取れるＯＳＤの映像に、別放送方式である縮小映像がはめ込まれる。縮小画面には同期が取れていない映像が表示される。
【００３１】
今までの説明は、各ブロックがそれぞれＬＳＩとして構成されているものとして示してきたが、これらブロックを１つの又は複数のＬＳＩとして構成しても良い。
【００３２】
又、図３のように各ブロックが１つ又は複数のメモリＭを共用する構成とすれば、必要なメモリ容量を削減できる。
【００３３】
【発明の効果】
以上説明したように本発明によれば、映像信号を海外で適用されている異なる放送方式の映像信号に効率よく変換し、光ディスク等のデジタル信号記録媒体に記録することができる。
【図面の簡単な説明】
【図１】本発明の一実施形態に係る記録再生装置の構成を示すブロック図。
【図２】本記録再生装置の制御動作を示すフローチャート。
【図３】本発明の他の実施形態に係る記録再生装置の構成を示すブロック図。
【符号の説明】
１…マイクロプロセッサ、２…データセレクタ、３…フレームシンクロナイザ、４…ＭＰＥＧエンコーダ、５…インターフェースＬＳＩ、６…ハードディスクドライブ、７…ＤＶＤドライブ、８…ＭＰＥＧエンコーダ、９…放送方式変換部、１０…グラフィックＬＳＩ、１１…ビデオエンコーダ
【図１】
2004236194.tif 000003
【図２】
2004236194.tif 000004
【図３】
2004236194.tif 000005